(57)【要約】【課題】三脚取付け部と蓋部材が効率的に配置されるカメラを提供する。【解決手段】電池等のカメラのアクセサリを保護する蓋部３１は、カメラ本体部１の底面に回動自在に取り付けられる。蓋部３１によって保護される底面の部分１０には、電池装着口１５、媒体装着口１６、フック挿入口１７に加えて三脚取付け部１３が配置される。そして、蓋部３０には、蓋部３０が閉止位置において三脚取付け部１３の先端部１３ｂを外部に露出させ、かつ回動時に三脚取付け部１３の周囲と接触しないように、対応する位置に貫通する開口３１が設けられている。【選択図】図２
2008014979.tif 000002
【特許請求の範囲】
【請求項１】
アクセサリ収納室を内部に備えるカメラ本体部と、
カメラ本体部の１の面に配置される三脚取付け部と、
カメラ本体部の前記三脚取付け部と同じ面に開閉自在に設けられ、前記アクセサリ収納室を保護する蓋部と、を備え
前記三脚取付け部は、少なくともこの三脚取付け部の一部が、閉止位置にある前記蓋部によって保護される部分に含まれるような位置に配置され、
前記蓋部は、この蓋部が閉止位置にある状態で、前記三脚取付け部の取り付け面を外部に臨ませる開口部を有する、
ことを特徴とするカメラ。
【請求項２】
前記三脚取付け部と蓋部は、カメラ本体部の底面に配置され、
前記蓋部は、三脚取付け部の近傍を中心として下方向に回動して開くようにカメラ本体部に取り付けられ、前記三脚取付け部を挟んでその両側に回動支持される支持部を有する
ことを特徴とする請求項１に記載のカメラ。
【請求項３】
前記アクセサリ収納室へ収納されるアクセサリは、電池または記録媒体の少なくともいずれかを含む
ことを特徴とする請求項１に記載のカメラ。
【請求項４】
前記三脚取付け部と蓋部は、カメラ本体部の底面に配置された
ことを特徴とする請求項１に記載のカメラ。
【発明の詳細な説明】
【技術分野】
【０００１】
この発明は、三脚取付け部を備えるカメラに関する。
【背景技術】
【０００２】
携帯用のデジタルカメラでは、本体の小型化が重要なセールスポイントになる。このカメラの小型化には、部品自体を小型化することも大事であるが、部材を効率的にレイアウトすることも重要である。カメラが小型化あるいは薄型化されていくと、カメラの底面部も限られたスペースになり、レイアウトの制限が発生する。
【０００３】
図７に、従来カメラの一般的な底面レイアウトを示す。カメラの底面部には、三脚取付け部５０、電池蓋５１がそれぞれ設けられる。三脚取付け部５０は、カメラ固定用の三脚装置に取り付けるためのもので、セルフタイマ撮影時等や手振れを防ぐときに利用される。三脚取付け部５０は、規格に定められた径と深さのメネジを備え、主にカメラの底面に設けられる部材である。また、電池蓋５１は、カメラの電池室開口やメモリカード等の媒体室開口を保護するようカメラ本体部に開閉自在に取り付けられる。電池蓋５１も底面に設けられるタイプが多い。
【０００４】
そして、カメラ底部の三脚取付け部のレイアウトの改良に関する提案が幾つかされている。例えば、三脚取付け部と蓋を別々に配置させておくと、底面の面積が小さくならず、レイアウト上不都合なので、三脚取付け部を底部外装ではなく、蓋部材に設けたカメラが提案されている（特許文献１）。ここで、蓋部材はフィルムカートリッジ室を開閉するためのもので、内側には支持部材が備えられている。そして、蓋部材の外側に三脚ネジ穴を設けるにあたり、支持部材と離れた箇所に三脚ネジ穴を設けるようにして、蓋部材の肉厚を薄くするようにしている。
【特許文献１】特開平９−２９２６５３号公報
【発明の開示】
【発明が解決しようとする課題】
【０００５】
上記特許文献１では、蓋部材に三脚ネジ穴を形成するが、一定のねじ嵌合長を得るためには、蓋部材の厚さを厚くしなければならない。また、蓋部材とその軸部には、三脚に固定されるための強度や、三脚に固定されたカメラが安定して保持されるための剛性が必要とされる。そのため、蓋部材に三脚取り付け部を備えると、蓋部材の材質に制限が生じたり、蓋開閉機構が複雑化するおそれもある。
【０００６】
本発明は以上の点に鑑み、蓋部材を大型化しないで、三脚取付け部と蓋部材が効率的に配置されるカメラを提供するものである。
【課題を解決するための手段】
【０００７】
上記目的を達成するために、第１の発明によるカメラは、アクセサリ収納室を内部に備えるカメラ本体部と、カメラ本体部の１の面に配置される三脚取付け部と、カメラ本体部の前記三脚取付け部と同じ面に開閉自在に設けられ、前記アクセサリ収納室を保護する蓋部と、を備え  前記三脚取付け部は、少なくともこの三脚取付け部の一部が、閉止位置にある前記蓋部によって保護される部分に含まれるような位置に配置され、前記蓋部は、この蓋部が閉止位置にある状態で、前記三脚取付け部の取り付け面を外部に臨ませる開口部を有するものである。
【０００８】
また、第２の発明によるカメラは、第1の発明のカメラにおいて、前記三脚取付け部と蓋部は、カメラ本体部の底面に配置され、前記蓋部は、三脚取付け部の近傍を中心として下方向に回動して開くようにカメラ本体部に取り付けられ、前記三脚取付け部を挟んでその両側に回動支持される支持部を有するものである。
【０００９】
また、第３の発明によるカメラは、第1の発明のカメラにおいて、前記アクセサリ収納室へ収納されるアクセサリは、電池または記録媒体の少なくともいずれかを含むものである。
【発明の効果】
【００１０】
本発明によれば、三脚取付け部と蓋部材が効率的に配置されるカメラを提供可能となる。
【発明を実施するための最良の形態】
【００１１】
以下本発明を実施するための最良の形態について図面を参照して説明する。
図１は、本発明が適用されるカメラを、カメラの底面部方向から見た外観図である。なお以下で、上下左右等の表記は、撮影者に通常持たれる姿勢のカメラを、撮影者から見た方向で原則表記する。
【００１２】
１がカメラ本体部で、カメラ本体部は全体として略直方体の形状である。２がカメラ本体部１の正面部にあたり、３が底面部、４が右側面部にあたる。正面部２の中央に、レンズ部５が設けられる。この図は、レンズ保護用のレンズバリアが閉じた状態である。底面部３には、中央から右側面部４までの範囲、底面部の約半分くらいの大きさで、蓋部３０が設けられる。蓋部３０は内部に収納される電池とメモリカード等の記録媒体を保護するもので、カメラ本体部１に対して回動可能に取り付けられる。本図は、蓋部３０が閉止された状態、つまり電池等を保護する位置にある状態を示している。蓋部３０は、板状の部材で、正面部２と右側面部４の側にもそれぞれ短い壁が形成されている。蓋部３０の表面と底面部３は略同一面である。そして、蓋部３０は、カメラのアクセサリである電池や記録媒体が収納されるアクセサリ収納室を保護する。
【００１３】
また、底面部３のカメラ幅方向の中央には、三脚取付け部１３が設けられる。三脚取付け部１３は、カメラ本体部１を三脚に取り付けるための支持部である。三脚取付け部１３は背の低い円筒形状で、中心に三脚装置のオネジが螺合されるメネジ１３ａが形成されている。そして、三脚取付け部１３は、閉じた位置にある蓋部３０に覆われる位置に配置されているので、蓋部３０には、三脚取付け部１３の取付け面である先端部１３ｂを外部に臨ませるために、三脚取付け部１３を貫通させる円状の開口３１が形成される。また、三脚取付け部１３の先端部１３ｂは、蓋部３０の表面よりわずかに突出している。
【００１４】
また、底面の両端には、カメラ本体１支持用の突起部７が３箇所形成される。突起部７は、底面部３の面より少量突出させた部位で、机等に置かれたカメラ本体１を安定させるための支持部である。安定して支持させるために、左端側に２箇所、右端側の蓋部３０の表面に１箇所形成される。また、突起部７の高さは、カメラ本体底面から三脚取付け部１３の先端と同一高さである。
【００１５】
さらに、底面部３の三脚取付け部１３の左横に、Ｓ開口８が設けられる。Ｓ開口８は、外装に形成された細かい貫通穴の集合で、Ｓ開口８の内側に配置された薄型スピーカの音を外部に出力するための開口である。カメラ本体部１の右側面部４には、蓋部３０を開放させるための解除ボタン６が設けられる。
【００１６】
図２と図３により、蓋部３０とその取付け構成を説明する。図２は、蓋部３０が開かれた状態のカメラ本体部１を示す図である。図３は、さらに、蓋部３０単体と、蓋部３０に保護されるカメラ本体底面の領域を拡大して示す分解斜視図である。
【００１７】
蓋部３０は、解除ボタン６の操作方向Qへの操作により、内部に設けられた蓋部３０へのロック機構が解除され、手動で持ち上げられて開放される。蓋部３０は、回動方向Ｐで示すように、カメラ本体1の下に向かってかつ右側面から左側面の方向に回動する。
【００１８】
１０は、閉じた状態の蓋部３０で保護され、開放された状態で外部に露出されるカメラ本体部１の被保護部分である。被保護部分１０には、三脚取付け部１３以外に、電池装着口１５、媒体装着口１６、フック挿入口１７が設けられる。電池装着口１５は、カメラ幅方向に長い四角の開口で、底面の右側でかつ正面部２寄りの位置に設けられる。媒体装着口１６は、カメラ幅方向に長い四角の開口で、電池装着口１５より背面寄りの位置に設けられる。フック挿入口１７は、カメラの厚み方向に細長い開口で、電池装着口１５の横で右端ぎりぎりの位置に設けられる。
【００１９】
カメラ本体部１の内部にはカメラ駆動用の電池４０を収納する電池収納室１９が設けられ、電池装着口１５はその入り口部である。電池収納室１９の内部には電気接点が設けられている。角型形状の電池４０は、カメラ本体部１の下方向から、電池装着口１５を通じて装着される。
【００２０】
また、カメラ本体部１の内部には画像記録用の記録媒体４１を収納する媒体収納室が設けられ、媒体装着口１６はその入り口部である。薄型の記録媒体４１は、カメラ本体部１の下方向から、媒体装着口１６を通じて装着される。
【００２１】
フック挿入口１７の内部には、蓋部３０のフック部３５（図３）に係合して蓋部３０を閉止状態に保持するロック部材（不図示）が設けてある。蓋部３０を閉じるとフック部３５にロック部材が係合して、自動的に蓋部３０がロックされる。そしてこのロック部材には解除ボタン６が係合され、解除ボタン６が操作されることで、蓋部３０のロックが解除される。
【００２２】
三脚取付け部１３は、カメラ本体部１の幅方向で言うと中央の位置、被保護部分１０で言うと左側に配置される。被保護部分１０の三脚取付け部１３の左には、蓋部３０を回動させるための軸１８が設けられる（図３）。軸１８は、三脚取付け部１３の外周に密着させて、カメラ本体部１の厚さ方向に平行になるように、カメラ外装に固定して取り付けられる。軸１８を三脚取付け部１３の外周に接近させて配置させることで、蓋部３０回りがコンパクトに構成できる。軸１８の材質としては、金属製が望ましい。また、軸１８の取り付けられる被保護部分１０の箇所には、電池装着口１５が設けられる平面より低い凹部２０が形成される。凹部２０は軸１８に沿った半円状の形状である。凹部２０は、後述する蓋部３０の支持部３２を回動させるための逃げ部である。また、被保護部分１０には、正面部２側と右側面部４側に、一段低くなるような段差がそれぞれ設けられる。
【００２３】
図３で示すように、蓋部３０は、長方形の板状部を主面とし、この主面の正面側と右側面側の２側面に、主面に垂直で内に向う方向に側壁３４ａと側壁３４ｂが形成される。この側壁３４ａと３４ｂが、閉止位置で、前記被保護部分１０の段差に入り込む。また、蓋部３０には、回動中心の根元よりの位置に開口３１が形成される。開口３１の大きさは、蓋部３０が閉止位置にある状態で三脚取付け部１３が貫通され、蓋部３０の回動時に三脚取付け部１３と干渉しない大きさであればよい。
【００２４】
そして、蓋部３０には、その内面の根元部分に、蓋部３０の回動を支持する支持部３２が左右に２つ分割して設けられる。２つに分かれた支持部３２は、それぞれ山型状に形成され、その中心に軸１８に対応する嵌合孔３３が同軸状に形成される。軸１８を三脚取付け部１３の外周に密着するように取り付けたので、三脚取付け部１３の近傍には支持部用のスペースがないからである。しかし、蓋部３０は両端で嵌合されるので、回動がた等の発生のおそれはない。また、蓋部３０の内側の先端で、側壁３４ｂの手前には、前述したフック部３５が形成される。フック部３５はＬ字形状である。
【００２５】
図４は、蓋部３０が閉止位置にあるカメラ本体部１の底面図である。上記図1から図３で説明した構成を底面図で説明する。本図では、上側がカメラ正面側、下側がカメラ背面側に相当する。底面部３には、Ｓ開口８、蓋部３０、三脚取付け部１３が配置される。蓋部３０は底面の右半分を占める。三脚取付け部１３は、底面部３の略中央の位置でかつ蓋部３０に重複するような位置に配置される。三脚取付け部１３の内周には、三脚取付け用のメネジ１３ａが形成される。そして、蓋部３０には、三脚取付け部１３を外部に露出させるために、三脚取付け部１３に対応する箇所に開口３１が形成される。蓋部３０の回動中心を一点鎖線Ｓで示す。
【００２６】
図５は、カメラ本体部１の右半分を正面方向から見た図で、要部を透視した図である。蓋部３０は、閉止位置の状態である。電池収納室１９は、カメラ本体部１の右側面部４を構成する外装の内側に接するような位置に配置される。レンズ部５のレンズ鏡枠５ｂは、その外周が電池収納室１９に隣接するように配置される。そして三脚取付け部１３は、正面から見て、電池収納室１９とレンズ鏡枠５ｂに挟まれるような位置に配置される。また、三脚取付け部１３は底面外装に一体的に形成される。もちろん、別体でもかまわない。前述したように、三脚取付け部１３の先端は、蓋部３０の外表面よりわずかに突出し、かつ、突起部７と同一高さになるよう設定される。軸１８は、蓋部３０の内面近傍で、かつ三脚取付け部１３の外周に接するように配置される。スピーカ１１がレンズ鏡枠５ｂの下部でＳ開口８に対応する位置に取り付けられる。スピーカ１１は底面部３の外装に直接に取り付けられる。
【００２７】
（変形例）
図６は、本発明の２つ変形例を示す図である。図６（Ａ）は、第１の変形例である。上述の例では、三脚取付け部１３が、その全体が蓋部３０によって保護される部分に含まれる位置に配置されていた。第１の変形例では、三脚取付け部１３が、その一部が蓋部３０によって保護される部分に含まれる位置に配置される場合である。蓋部３０が開放位置にある状態を破線で示す。蓋部３０の回動方向は、図２と同じである。蓋部３０の開口部が、図２の例では略円形であったが、本例では、三脚取付け部１３との重複関係に応じて、半円形状で形成される。
【００２８】
図６（Ｂ）は、第２の変形例である。図２の例では、蓋部３０が右側面から左側面に回動するように構成されていた。本例では、回動中心軸をカメラ背面側で、かつカメラ本体部１の幅に平行な方向に配置され、蓋部３０はカメラ本体部の正面部から背面部の方向に回動される。
【００２９】
以上のように、カメラの底面において、電池等の保護用の蓋部と三脚取付け部と重複するような配置が可能になり、三脚取付け部を蓋部以外の場所に配置しなければならないという制限がなくなる。
【００３０】
つまり、カメラの底面における部品配置の自由度が増加する。そして、その結果、三脚取付け部をカメラの重心位置やレンズの真下に配置できる等、三脚取付け部としての最適な位置への配置が可能になる。また、カメラのコンパクト化にも寄与する。
【００３１】
なお、上記実施形態では、蓋部３０によって保護されるカメラに着脱可能なアクセサリとして、電池と記録媒体の２つの例を示したが、いずれか１つでも良い。また、アクセサリの種類もこれに限られない。例えば、無線アダプタ等の機能拡張用のアダプタやケーブル類であっても、本発明は適用できる。
【００３２】
また、上記実施形態では、三脚取付け部１３と蓋部３０をカメラ本体部１の底面に配置した例を説明したが、配置面は必ずしも底面でなくてもよい。例えば、三脚取付け部１３と蓋部３０をカメラ本体の側面部に配置してもよい。さらに、本発明をカメラ付き携帯電話に適用してもよい。
【００３３】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３４】
【図１】本発明が適用されるカメラ本体部１を、蓋部３０が閉止された状態で、底部方向から見た外観図。
【図２】蓋部３０が開放された状態のカメラ本体部１を、底部方向から見た外観図。
【図３】図２の蓋部３０とカメラ本体部１の底部の詳細な構成を示す外観図。
【図４】カメラ本体部1の底部の外観図。
【図５】カメラ本体部１の右側を被写体方向から見た透視図。
【図６】蓋部３０の取り付けの変形例を示す図。
【図７】従来のカメラにおける、三脚取付け部と蓋の位置関係を示す図。
【符号の説明】
【００３５】
1…カメラ本体部、２…正面部、３…底面部、４…右側面部、５…レンズ部、５ｂ…レンズ鏡枠、
６…解除ボタン、７…突起部、８…Ｓ開口、１０…被保護部分、１１…スピーカ、
１３…三脚取付け部、１３ａ…メネジ、１３ｂ…先端部、１５…電池装着口、１６…媒体装着口、
１７…フック挿入口、１８…軸、１９…電池収納室、２０…凹部
３０…蓋部、３１…開口、３２…支持部、３３…嵌合孔、３４ａ、３４ｂ…側壁、３５…フック部、
４０…電池、４１…記録媒体、５０…三脚取付け部、５１…電池蓋、
Ｐ…回動方向、Ｑ…操作方向、Ｓ…回動中心
【図１】
2008014979.tif 000003
【図２】
2008014979.tif 000004
【図３】
2008014979.tif 000005
【図４】
2008014979.tif 000006
【図５】
2008014979.tif 000007
【図６】
2008014979.tif 000008
【図７】
2008014979.tif 000009